(57)【特許請求の範囲】
【請求項１】
第１の筐体と、
第２の筐体と、
前記第１の筐体と前記第２の筐体とを連結する連結部と、
前記第１の筐体内に配設された第１の導電部と、
前記第２の筐体内に配設された第２の導電部と、
前記連結部の内部を挿通して前記第１の導電部及び前記第２の導電部と電気的に接続される信号線と、
前記第１の筐体及び前記第２の筐体の少なくともいずれか一方に配設されるアンテナと、
前記第１の筐体及び前記第２の筐体のうちの少なくとも一方の筐体の内部に配設される金属部と、を有し、
前記金属部は、前記第１の導電部及び前記第２の導電部のいずれか一方と電気的に接続されると共に前記信号線と容量結合され、かつ、前記連結部の内部における前記信号線に沿って前記第１の筐体及び前記第２の筐体のうちの少なくとも一方の筐体内に配設され、
前記信号線は、前記第１の筐体及び前記第２の筐体の幅方向に沿って前記連結部の内部を挿通する、ことを特徴とする通信機器。
【請求項２】
前記信号線は、前記第１の導電部又は前記第２の導電部の一端側の部位と電気的に接続される第１の部分と、前記第１の導電部又は前記第２の導電部の他端側の部位と電気的に接続される第２の部分と、を有し、
前記第１の部分は、前記第１の筐体及び前記第２の筐体の前記一端側の幅方向に沿って前記連結部内を挿通し、
前記第２の部分は、前記第１の筐体及び前記第２の筐体の前記他端側の幅方向に沿って前記連結部内を挿通する、ことを特徴とする請求項１記載の通信機器。
【請求項３】
前記金属部は、前記第１の筐体及び前記第２の筐体のうち少なくとも一方の筐体の内部に配設される電子部品である、ことを特徴とする請求項１又は請求項２に記載の通信機器。
【請求項４】
前記第１の筐体と前記第２の筐体とは、前記連結部により相対的に回転するように連結されており、
前記信号線は、前記連結部の内部において相対的に回転する軸方向に沿って円柱状に形成される、ことを特徴とする請求項１乃至請求項３のいずれか一項に記載の通信機器。
【発明の詳細な説明】
【技術分野】
【０００１】
本発明は、複数の筐体が連結されて構成される通信機器に関する。
【背景技術】
【０００２】
従来の通信機器においては、複数の筐体で構成される携帯端末の場合、一般的に、高周波信号によって無線通信を行う際に、筐体の状態（例えば、上側筐体と下側筐体とが重なり合う閉状態や、上側筐体と下側筐体とが重なり合わない開状態等）に応じて、高周波的にグランドラインの長さが変動してしまい、結果としてアンテナの利得を一定以上に保つことが困難であった。
【０００３】
このような課題を解決するために、例えば、特許文献１に記載される技術が提案されている。当該文献に記載の通信機器は、第１の筐体に設けられたプリント基板と第２の筐体に設けられたプリント基板とを電気的に導通させ、また、両筐体を開閉可能（捻る事も可能）に連結するヒンジ部を有し、２つのプリント基板の導体部分の間隔を容量結合させるために所定の間隔になるように構成し、当該ヒンジ部を２つの筐体部材のうちのいずれか一方の導体部と絶縁させることで、２つのプリント基板同士を高周波的に結合させることによりアンテナ利得の低下を防ぐというものである。
【特許文献１】特開２００４−１３４９７５号公報
【発明の開示】
【発明が解決しようとする課題】
【０００４】
しかしながら、第１の筐体のプリント基板と第２の筐体のプリント基板との間隔に対して容量結合を行うために、第１のプリント基板と第２のプリント基板との間隔を一定以下に保つ必要があり、この結果、筐体内に配置可能な部品に機構的な制約が生じ、設計上の自由度が制限されるといった問題があった。
【０００５】
本発明は、上述のような課題に鑑みてなされたものであり、その目的の一つは、複数の筐体が連結されて構成される通信機器においてアンテナ利得の悪化を抑制しつつ、筐体内の設計上の自由度を担保することができる通信機器を提供することにある。
【課題を解決するための手段】
【０００６】
（１）本発明に係る通信機器は、上記課題を解決するために、第１の筐体と、第２の筐体と、前記第１の筐体と前記第２の筐体とを連結する連結部と、前記第１の筐体内に配設された第１の導電部と、前記第２の筐体内に配設された第２の導電部と、前記連結部の内部を挿通して前記第１の導電部及び前記第２の導電部と電気的に接続される信号線と、前記第１の筐体及び前記第２の筐体の少なくともいずれか一方に配設されるアンテナと、前記第１の筐体及び前記第２の筐体のうちの少なくとも一方の筐体の内部に配設される金属部と、を有し、前記金属部は、前記第１の導電部及び前記第２の導電部のいずれか一方と電気的に接続されると共に前記信号線と容量結合され、かつ、前記連結部の内部における前記信号線に沿って前記第１の筐体及び前記第２の筐体のうちの少なくとも一方の筐体内に配設され、前記信号線は、前記第１の筐体及び前記第２の筐体の幅方向に沿って前記連結部の内部を挿通する、ことを特徴とする。
【０００８】
（３）前記通信機器では、前記信号線は、前記第１の導電部又は前記第２の導電部の一端側の部位と電気的に接続される第１の部分と、前記第１の導電部又は前記第２の導電部の他端側の部位と電気的に接続される第２の部分と、を有し、前記第１の部分は、前記第１の筐体及び前記第２の筐体の前記一端側の幅方向に沿って前記連結部内を挿通し、前記第２の部分は、前記第１の筐体及び前記第２の筐体の前記他端側の幅方向に沿って前記連結部内を挿通する、構成であることが好ましい。
【０００９】
（４）前記通信機器では、前記金属部は、前記第１の筐体及び前記第２の筐体のうち少なくとも一方の筐体の内部に配設される電子部品である構成であることが好ましい。
【００１０】
（５）前記通信機器では、前記第１の筐体と前記第２の筐体とは、前記連結部により相対的に回転するように連結されており、前記信号線は、前記連結部の内部において相対的に回転する軸方向に沿って円柱状に形成される構成であることが好ましい。
【発明の効果】
【００１１】
本発明によれば、複数の筐体が連結されて構成される通信機器においてもアンテナ利得の悪化を好適に抑制しつつ、筐体内の設計上の自由度が制限されるのを好適に抑制することができる。
【発明を実施するための最良の形態】
【００１２】
以下、図面を参照して本発明を実施するための最良の形態を説明する。なお、以下、通信機器の一例として携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等のアンテナを備えた他の通信機器であっても良い。
【００１３】
＜第１の実施形態＞
図１は、ホスト装置と通信を行う本発明に係る通信機器の一例である携帯電話装置１の外観斜視図を示す。
【００１４】
携帯電話装置１は、表面がフロントパネル２ａとフロントケース２ｂとリアケース２ｃと図示しないリアパネル２ｄとにより構成される操作部側筐体部２（第１の筐体）と、表面がフロントパネル３ａとフロントケース３ｂとリアケース３ｃとリアパネル３ｄとにより構成される表示部側筐体部３（第２の筐体）と、を備えて構成される。
【００１５】
操作部側筐体部２は、フロントパネル２ａの表面に、操作ボタン群１１と、携帯電話装置１の使用者が通話時に発した音声が入力される音声入力部１２とが露出するように構成される。また、操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。また、操作部側筐体部２の側面には、外部機器（例えば、ホスト装置）と通信を行うためのインターフェースを覆うキャップが設けられている。
【００１６】
また、表示部側筐体部３は、フロントパネル３ａに、各種情報を表示するためのディスプレイ２１と、通話の相手側の音声を出力する音声出力部２２とが露出するように構成される。
【００１７】
また、操作部側筐体部２の上端部と表示部側筐体部３の下端部とは、図１に示すように、ヒンジ機構４（連結部）を介して連結されている。また、携帯電話装置１は、ヒンジ機構４を介して連結された操作部側筐体部２と表示部側筐体部３とを相対的に回転させることにより、操作部側筐体部２と表示部側筐体部３とが折り畳まれた状態（互いに重なり合う第１の状態、折畳み（閉）状態）にしたり、操作部側筐体部２と表示部側筐体部３とを互いに開いた状態（重なり合う程度が折畳み状態よりも低い第２の状態、開状態）にしたりすることができる。なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式や、両筐体２、３を２軸ヒンジを介して連結したものでも良い。
【００１８】
また、図２は、携帯電話装置１を折畳んだ状態の斜視図を示す図である。操作部側筐体部２は、一方の側面に、所定の機能が割り当てられているサイドキー３０と、外部メモリの挿入及び取り出しが行われるインターフェース用のキャップ３１と、を備えている。また、表示部側筐体部３は、一方の側面に、詳細は後述するスライドキー３２が備えられている。また、表示部側筐体部３のリアパネル３ｄ表面には、被写体を撮像するカメラ３３と、被写体に光を照射するライト３４と、が露出して形成されている。
【００１９】
また、図３は、操作部側筐体部２に内蔵される部材の分解斜視図である。図３に示すように、操作部側筐体部２は、フロントパネル２ａと、フロントケース２ｂと（本図においてはフロントパネル２ａとフロントケース２ｂとは結合されている）、上述した操作ボタン群１１を構成するキーシート４０と、フレキシブル配線基板４５と、基準電位パターン層及び携帯電話装置１用のＲＦ（Ｒａｄｉｏ  Ｆｒｅｑｕｅｎｃｙ）モジュール等の各種電子部品を備えるプリント基板５０（第１の導電部）と、ヒンジ機構４（部品４ａと部品４ｂとにより構成されている）と、アンテナ５５と、近距離通信用アンテナ５６と、リアケース２ｃと、バッテリ６０を保護するリアパネル２ｄとを備える。
【００２０】
また、操作部側筐体部２において、フロントケース２ｂと、キーシート４０と、プリント基板５０と、リアケース２ｃとは、積層的に配置される。また、バッテリ６０は、リアパネル２ｄの外側から挿脱可能に収納される。
【００２１】
図３に示すように、フロントケース２ｂとリアケース２ｃとは、互いの凹状の内側面が向き合うように配置され、互いの外周縁が重なり合うようにして結合される。また、フロントケース２ｂとリアケース２ｃとの間には、キーシート４０と、プリント基板５０と、とが挟まれるようにして内蔵される。つまり、プリント基板５０の上面にキーシート４０が積層的に配置される。
【００２２】
フレキシブル配線基板４５は、フロントパネル２ａ側の面に複数のキースイッチを有し、それぞれのキースイッチは、椀状に湾曲して立体的に形成された金属板のメタルドームを有する構造になっている。メタルドームは、その椀状形状の頂点が押圧されると、フレキシブル配線基板４５の表面に印刷された不図示の電気回路に形成されるスイッチ端子に接触して電気的に導通する。なお、フレキシブル配線基板４５は、複数の絶縁フィルムの間に配線を挟み込んだものである。
【００２３】
また、プリント基板５０には、不図示の各種電子部品が配置される。各種電子部品は、所定の組み合わせにより複数の回路ブロックを形成する。例えば、無線回路、電源回路、デジタル回路等を含む各種回路ブロックが形成される。
【００２４】
フロントパネル２ａには、携帯電話装置１を折り畳んだ状態で表示部側筐体部３のディスプレイ２１と対向する内側面に、キー孔が複数形成される。複数のキー孔それぞれからは、キーシート４０上に形成される機能設定操作ボタン１３、入力操作ボタン１４及び決定操作ボタン１５の押圧面が露出する。この露出した操作ボタン群１１を構成する機能設定操作ボタン１３、入力操作ボタン１４及び決定操作ボタン１５の押圧面を押し下げるように押圧することで、対応するキースイッチそれぞれにおけるメタルドーム（椀状形状）の頂点が押圧され、スイッチ端子に接触して電気的に導通する。
【００２５】
リアケース２ｃの一端側には、基台に収納されたアンテナ５５が配置される。つまり、アンテナ５５は、携帯電話装置１における一端側に配置される。具体的には、アンテナ５５は、携帯電話装置１におけるヒンジ機構４側と反対の端部側に配置される。また、アンテナ５５は、帯状の板金で形成される。
【００２６】
アンテナ５５（アンテナ）は、通話や電子メール等に係る電磁波の送受信を行うアンテナであり、不図示の給電端子を介してプリント基板５０から給電されて構成される。これにより、アンテナ５５は、給電端子を介してプリント基板５０から給電されると共に、プリント基板５０に設けられたＲＦモジュール等と接続される。なお、本実施形態においては、アンテナ５５の位置をリアケース２ｃの一端に設けるようにしたが、操作部側筐体部２の内部のいずれの場所に配置しても良い。また、アンテナ５５の位置を表示部側筐体部３の内部のいずれの場所に配置し、プリント基板８０に電気的に接続されていても良い。
【００２７】
図４は、表示部側筐体部３に内蔵される部材の分解斜視図である。図４に示すように、表示部側筐体部３は、フロントパネル３ａと、フロントケース３ｂと、ヒンジ機構４と、スピーカ７０ａ，７０ｂと、モータ７５と、ディスプレイ２１と、ディスプレイ２１が接続されたプリント基板８０（第２の導電部）と、リアケース３ｃと、リアパネル３ｄとを備える。また、表示部側筐体部３において、フロントパネル３ａと、フロントケース３ｂと、ディスプレイ２１と、プリント基板８０と、リアケース３ｃと、リアパネル３ｄとが積層的に配置される。
【００２８】
図４に示すように、フロントケース３ｂとリアケース３ｃとは、互いの凹状の内側面が向き合うように配置され、互いの外周縁が重なり合うようにして結合される。また、フロントケース３ｂとリアケース３ｃとの間には、ディスプレイ２１と、プリント基板８０とが挟まれるようにして内蔵される。また、スピーカ７０ａ，７０ｂと、モータ７５とがプリント基板８０に接続される。
【００２９】
また、携帯電話装置１には、図４に示すように、ヒンジ機構４と連結されている側の操作部側筐体部２又は表示部側筐体部３の端部に金属部１０１であるスピーカ７０ａ，７０ｂが配置されている。また、携帯電話装置１では、操作部側筐体部２と表示部側筐体部３との間において、細線同軸ケーブル１０２により、表示部側筐体部３の内部に配設されているプリント基板８０と、操作部側筐体部２の内部に配設されているプリント基板５０とが電気的に接続されている。本発明においては、当該金属部１０１と細線同軸ケーブル１０２との配置関係によって容量結合を生じさせ、特に、筐体が開状態において、アンテナ５５に起因する高周波的に安定したグランドイメージが得られるようにすることを目的の一つにしている。
【００３０】
ここで、本実施例においては、金属部１０１は、プリント基板８０（第２の導電部）と電気的に接続されると共に細線同軸ケーブル１０２（信号線）と容量結合され、かつ、ヒンジ機構４（連結部）の内部における細線同軸ケーブル１０２に沿って（対応して）表示部側筐体部３の内部に配設されるものとするが、これに限定されない。例えば、金属部１０１は、プリント基板５０（第１の導電部）と電気的に接続されると共に細線同軸ケーブル１０２と容量結合され、かつヒンジ機構４の内部における細線同軸ケーブル１０２に沿って操作部側筐体部２の内部に配設されるような構成であっても良い。
【００３１】
また、上述では、金属部１０１として、スピーカ７０ａ，７０ｂを想定したが、これに限られず、携帯電話装置１が有するその他の電子部品（例えば、カメラ３３又はライト３４）であっても良い。また、金属部１０１は、電子部品に限らず、金属を有するもの（例えば、金属膜による蒸着）により構成されても良い。以下に、金属部１０１を蒸着膜により構成する場合の実施例について説明する。
【００３２】
＜第１の実施例＞
第１の実施例について、図５を用いて説明する。図５においては、操作部側筐体部２のヒンジ機構４に連結される部分にプリント基板５０に電気的に接続される金属部１０１を形成し、また、ヒンジ機構４を横断するように、すなわち、操作部側筐体部２及び表示部側筐体部３の幅方向に沿って細線同軸ケーブル１０２を挿通させて、操作部側筐体部２のプリント基板５０の接続部と表示部側筐体部３のプリント基板８０の接続部とを電気的に接続する。
【００３３】
このように構成されることにより、図５中のＡ領域において、金属部１０１と細線同軸ケーブル１０２とが好適に容量結合を行うため、携帯電話装置１全体において高周波的に安定したグランドイメージを形成することができ、携帯電話装置１の開状態及び閉状態の変化に応じた（特に開状態になった場合の）アンテナ５５の特性の低下を抑制することができる。特に、金属部１０１と細線同軸ケーブル１０２とは、操作部側筐体部２及び表示部側筐体部３の幅方向において容量結合を行うため、アンテナ５５に起因する高周波は、効率良く携帯電話装置１全体に伝達され、携帯電話装置１の開状態及び閉状態の変化に応じた（特に、開状態になった場合の）アンテナ５５の特性の低下を特に抑制することができる。なお、図５では矢印Ｂにより、容量結合により操作部側筐体部２と表示部側筐体部３とが安定した高周波的なグランドイメージが形成されていることを模式的に示している。
【００３４】
＜第２の実施例＞
また、第２の実施例について、図６を用いて説明する。図６においては、操作部側筐体部２のヒンジ機構４に連結される部分の一部にプリント基板５０に電気的に接続される金属部１０１ａを形成し、表示部側筐体部３のヒンジ機構４に連結される部分の一部にプリント基板８０に電気的に接続される金属部１０１ｂを形成し、また、ヒンジ機構４を横断するように、すなわち、操作部側筐体部２及び表示部側筐体部３の幅方向に沿って細線同軸ケーブル１０２を挿通させて、操作部側筐体部２のプリント基板５０の接続部と表示部側筐体部３のプリント基板８０の接続部とを電気的に接続する。
【００３５】
このように構成されることにより、図６中のＡ１領域及びＡ２領域において、金属部１０１ａと細線同軸ケーブル１０２、及び金属部１０１ｂと細線同軸ケーブル１０２とが好適に容量結合を行うため、携帯電話装置１全体において高周波的に安定したグランドイメージを形成することができ、携帯電話装置１の開状態及び閉状態の変化に応じた（特に開状態になった場合の）アンテナ５５の特性の低下を抑制することができる。特に、金属部１０１ａと細線同軸ケーブル１０２、及び金属部１０１ｂと細線同軸ケーブル１０２とは、操作部側筐体部２及び表示部側筐体部３の幅方向において容量結合を行うため、アンテナ５５に起因する高周波は、効率良く携帯電話装置１全体に伝達され、携帯電話装置１の開状態及び閉状態の変化に応じた（特に、開状態になった場合の）アンテナ５５の特性の低下を特に抑制することができる。なお、図６では矢印Ｂにより、容量結合により操作部側筐体部２と表示部側筐体部３とが安定した高周波的なグランドイメージが形成されていることを模式的に示している。
【００３６】
＜第３の実施例＞
また、第３の実施例について、図７を用いて説明する。図７においては、操作部側筐体部２のヒンジ機構４に連結される部分にプリント基板５０に電気的に接続される金属部１０１を形成し、また、ヒンジ機構４の中心から細線同軸ケーブル１０２を挿通させつつ、操作部側筐体部２のプリント基板５０の接続部と表示部側筐体部３のプリント基板８０の接続部とを電気的に接続する。また、細線同軸ケーブル１０２は、図７に示すように、表示部側筐体部３のプリント基板８０に対しては、中心線Ｘに対して左右対称になるように第１の部分１０２ａと第２の部分１０２ｂとに枝分かれし、それぞれプリント基板８０の接続部に接続されている（すなわち、第１の部分１０２ａは、ヒンジ機構４内を操作部側筐体部２又は表示部側筐体部３の一端側の幅方向に沿って挿通してプリント基板５０又はプリント基板８０の一端側（図７においては、プリント基板５０の一端側）の部位と電気的に接続され、第２の部分１０２ｂは、ヒンジ機構４内を操作部側筐体部２又は表示部側筐体部３の他端側の幅方向に沿って挿通してプリント基板５０又はプリント基板８０の他端側（図７においては、プリント基板５０の一端側）の部位に接続され、結果として操作部側筐体部２及び表示部側筐体部３の幅方向に沿って細線同軸ケーブル１０２が挿通されている。）。このような構成によれば、例えば、表示部側筐体部３に配設されているプリント基板８０等により細線同軸ケーブル１０２を複数個所において電気的に接続するような構成に対しても適応させることができ、細線同軸ケーブル１０２の配線効率やプリント基板５０又はプリント基板８０における電子部品の実装効率を向上させることができる（例えば、高周波信号とそれ以外の信号とを第１の部分１０２ａと第２の部分１０２ｂとに分離することができ、もって、プリント基板５０又はプリント基板８０における電子部品の実装効率を向上させることができる）。
【００３７】
このように構成されることにより、図７中のＡ領域において、金属部１０１と細線同軸ケーブル１０２とが好適に容量結合を行うため、携帯電話装置１全体において高周波的に安定したグランドイメージを形成することができ、携帯電話装置１の開状態及び閉状態の変化に応じた（特に開状態になった場合の）アンテナ５５の特性の低下を抑制することができる。特に、金属部１０１と細線同軸ケーブル１０２とは、操作部側筐体部２及び表示部側筐体部３の幅方向において容量結合を行うため、アンテナ５５に起因する高周波は、効率良く携帯電話装置１全体に伝達され、携帯電話装置１の開状態及び閉状態の変化に応じた（特に、開状態になった場合の）アンテナ５５の特性の低下を特に抑制することができる。なお、図７では矢印Ｂにより、容量結合により操作部側筐体部２と表示部側筐体部３とが安定した高周波的なグランドイメージが形成されていることを模式的に示している。
【００３８】
＜第４の実施例＞
また、第４の実施例について、図８を用いて説明する。なお、本実施形態における携帯電話装置１のヒンジ機構４は、直交する２軸に対して回動可能な機構、いわゆる２軸ヒンジ機構により構成されているものとする。したがって、携帯電話装置１は、ヒンジ機構４により状態を変化させることにより、通常の開状態（ディスプレイ２１と操作ボタン群１１とが対向していない状態）と閉状態（ディスプレイ２１と操作ボタン群１１とが対向する状態）に加えて、ディスプレイ２１が外部に露出した状態で閉状態（ターンクローズ状態）に変移させることができる。
【００３９】
また、図８においては、操作部側筐体部２のヒンジ機構４に連結される部分にプリント基板５０に電気的に接続される金属部１０１ａを形成し、当該部分に対向するヒンジ機構４の一端側に金属部１０１ｂを形成し、表示部側筐体部３に対向するヒンジ機構４の他端側に金属部１０１ｃを形成し、また、ヒンジ機構４の中心から細線同軸ケーブル１０２を挿通させつつ、操作部側筐体部２のプリント基板５０の接続部と表示部側筐体部３のプリント基板８０の接続部とを電気的に接続する。また、細線同軸ケーブル１０２は、図８に示すように、表示部側筐体部３のプリント基板８０に対しては、中心線Ｘに対して左右対称になるように第１の部分１０２ａと第２の部分１０２ｂとに枝分かれし、それぞれプリント基板８０の各接続部（不図示）に接続されている（すなわち、第１の部分１０２ａは、ヒンジ機構４内を操作部側筐体部２又は表示部側筐体部３の一端側の幅方向に沿って挿通してプリント基板５０又はプリント基板８０の一端側（図７においては、プリント基板５０の一端側）の部位と電気的に接続され、第２の部分１０２ｂは、ヒンジ機構４内を操作部側筐体部２又は表示部側筐体部３の他端側の幅方向に沿って挿通してプリント基板５０又はプリント基板８０の他端側（図７においては、プリント基板５０の一端側）の部位に接続され、結果として操作部側筐体部２及び表示部側筐体部３の幅方向に沿って細線同軸ケーブル１０２が挿通されている。）。このような構成によれば、例えば、表示部側筐体部３に配設されているプリント基板８０等により細線同軸ケーブル１０２を複数個所において電気的に接続するような構成に対しても適応させることができ、細線同軸ケーブル１０２の配線効率やプリント基板５０又はプリント基板８０における電子部品の実装効率を向上させることができる（例えば、高周波信号とそれ以外の信号とを第１の部分１０２ａと第２の部分１０２ｂとに分離することができ、もって、プリント基板５０又はプリント基板８０における電子部品の実装効率を向上させることができる）。
【００４０】
このように構成されることにより、図８中のＡ１領域とＡ２領域において、金属部１０１ａと金属部１０１ｂ、金属部１０１ｂと金属部ｃ、及び金属部１０１ｃと細線同軸ケーブル１０２とが好適に容量結合を行うため、携帯電話装置１全体において高周波的に安定したグランドイメージを形成することができ、アンテナ５５の特性の低下を抑制することができる。特に、金属部１０１ｃと細線同軸ケーブル１０２とは、操作部側筐体部２及び表示部側筐体部３の幅方向において容量結合を行うため、アンテナ５５に起因する高周波は、効率良く携帯電話装置１全体に伝達され、携帯電話装置１の開状態及び閉状態の変化に応じた（特に、開状態になった場合の）アンテナ５５の特性の低下を特に抑制することができる。なお、図８では矢印Ｂにより、容量結合により操作部側筐体部２と表示部側筐体部３とが安定した高周波的なグランドイメージが形成されていることを模式的に示している。
【００４１】
また、本発明では、上述したように操作部側筐体部２と表示部側筐体部３とは、ヒンジ機構４により相対的に回転するように連結されており、細線同軸ケーブル１０２（信号線）は、ヒンジ機構４の内部において相対的に回転する軸方向に沿って円柱状に形成されている構成であっても良い（図９を参照。）。このように構成されることにより、本発明では、ヒンジ機構４により操作部側筐体部２と表示部側筐体部３とが相対的に回転した場合であっても、細線同軸ケーブル１０２と金属部１０１との相対距離の変動が少ないため、容量結合が安定する。なお、本構成においては、金属部１０１は、携帯電話装置１全体において高周波的に安定したグランドイメージが形成されるように操作部側筐体部２、表示部側筐体部３の所定の場所に配設される。このように構成されることにより、本発明では、携帯電話装置１全体において高周波的に安定したグランドイメージを形成することができ、アンテナ５５の特性の低下を抑制することができる。
【００４２】
なお、本実施形態においては、細線同軸ケーブル１０２は、操作部側筐体部２と表示部側筐体部３の幅方向に沿って、ヒンジ機構４の内部を挿通されていたが、本発明はこれに限定されず、それ以外の方向（例えば、表示方向や厚さ方向）に沿って、ヒンジ機構４の内部を挿通されていても良い。このような構成の場合には、金属部１０１も、ヒンジ機構４の内部を挿通される細線同軸ケーブル１０２に沿って（対応して）操作部側筐体部２又は表示部側筐体部３の内部に配置されていれば良い。
【図面の簡単な説明】
【００４３】
【図１】本発明に係るホスト装置と通信を行う通信機器の一例である携帯電話装置の外観斜視図を示す。
【図２】携帯電話装置を折畳んだ状態の斜視図を示す図である。
【図３】操作部側筐体部に内蔵される部材の分解斜視図である。
【図４】表示部側筐体部に内蔵される部材の分解斜視図である。
【図５】細線同軸ケーブルと金属部との配置構成及びその効果を示す第１の実施例に係る携帯電話装置の模式図である。
【図６】細線同軸ケーブルと金属部との配置構成及びその効果を示す第２の実施例に係る携帯電話装置の模式図である。
【図７】細線同軸ケーブルと金属部との配置構成及びその効果を示す第３の実施例に係る携帯電話装置の模式図である。
【図８】細線同軸ケーブルと金属部との配置構成及びその効果を示す第４の実施例に係る携帯電話装置の模式図である。
【図９】細線同軸ケーブルの構成例を示す図である。
【符号の説明】
【００４４】
１  携帯電話装置
２  操作部側筐体部（第１の筐体）
３  表示部側筐体部（第２の筐体）
４  ヒンジ機構（連結部）
７０ａ，７０ｂ  スピーカ
５０  プリント基板（第１の導電部）
８０  プリント基板（第２の導電部）
１０１  金属部
１０２  細線同軸ケーブル（信号線）
【図１】
0005078730.tif 000002
【図２】
0005078730.tif 000003
【図３】
0005078730.tif 000004
【図４】
0005078730.tif 000005
【図５】
0005078730.tif 000006
【図６】
0005078730.tif 000007
【図７】
0005078730.tif 000008
【図８】
0005078730.tif 000009
【図９】
0005078730.tif 000010